(57)【要約】      （修正有）【課題】封筒を押さえてずれないようにして正確に位置決めした状態で搬送しながら加工でき且つ処理量を向上させることができる封筒加工装置。【解決手段】封筒搬送ベルトコンベヤ４の外側に封筒の搬送方向に沿って、切除片形成ユニット６、ミシン目形成ユニット７、開封用糸貼着ユニット８、糸を押さえる糸押さえユニット９、糸切断ユニット１０が順次配置されている封筒加工装置において、封筒搬送ベルトコンベヤは、封筒を挟んで搬送する上側の無端ベルトコンベヤと下側の無端ベルトコンベヤからなり、さらに、上側の無端ベルトコンベヤの下側のベルトが押さえローラにより下側の無端ベルトコンベヤに押さえられており、糸貼着ユニットは、糸巻きから巻き戻された糸をくぐらせて糊を付着させる糊の満たされた糊タンクを備えた糊付着部と、糊が付着し折り目に沿って張られた糸を挟んで加熱して貼着する一対のヒーター金型を備えた前記糊貼着部からなる。【選択図】図１
2018001426.tif 000002
【特許請求の範囲】
【請求項１】
封筒の開封口を封じる封じ片の折り目がミシン目で形成され、前記ミシン目の端に封筒から切除できる切除片が形成され、前記ミシン目と前記切除片に開封用糸が貼着されている封筒に加工する封筒加工装置であって、
供給された封筒を上側の無端ベルトコンベヤと下側の無端ベルトコンベヤで挟んで搬送する封筒搬送ベルトコンベヤと、前記封筒搬送ベルトコンベヤの入り側に配置された封筒の前記折り目を位置決めする位置決めユニットと、前記封筒搬送ベルトコンベヤと並列に順次配置された、前記切除片を形成する切除片形成ユニットと、前記折り目にミシン目を形成するミシン目形成ユニットと、前記開封用糸に糊を付着させて前記ミシン目の上に貼着させる糸貼着ユニットと、貼着させた前記開封用糸を押さえる糸押さえユニットと、隣り合う封筒の間の前記開封用糸を切断して封筒を分離する糸切断ユニットと、前記ミシン目に折れ癖を付ける折れ癖付けユニットを備えていることを特徴とする封筒加工装置において、
前記封筒搬送ベルトコンベヤが、前記複数列の上側の無端ベルトコンベヤの下側のベルトを前記複数列の下側の無端ベルトコンベヤの上側のベルトに押さえ付ける押さえ付けローラを備え、前記押さえ付けローラが前記封筒搬送ベルトコンベヤと並列に順次配置された各ユニットの位置に配置されていることを特徴とする封筒加工装置。
【請求項２】
前記位置決めユニットが、搬入された封筒を停止させる、上下動するストッパーと、停止した封筒を上下で挟んで搬入方向に直交する方向に移動させて位置決めする一対のローラを備えていることを特徴とする請求項１に記載の封筒加工装置。
【請求項３】
前記糸貼着ユニットが、糸巻きから巻き戻された糸をくぐらせて糊を付着させる糊タンクを備えた糊付着部と、前記糊付着部から引き出されて折り目に沿って張られた糊が付着した糸を挟んで加熱し、圧着する一対のヒーター金型を備えた糊貼着部からなることを特徴とする請求項１又は２に記載の封筒加工装置。
【請求項４】
前記糸押さえユニットが、貼着された糸を挟んで回転する一対のローラからなることを特徴とする請求項１、２又は３に記載の封筒加工装置。
【請求項５】
前記折れ癖付けユニットは、貼着された糸を挟んでプレスする一対のヒーター金型からなることを特徴とする請求項１、２、３又は４に記載の封筒加工装置。
【発明の詳細な説明】
【技術分野】
【０００１】
本発明は、封筒の開封口の封じ片の折り目にミシン目を形成し、このミシン目の上に開封用の糸を貼着して開封用糸付き封筒に加工する封筒加工装置に関する。
【背景技術】
【０００２】
本発明者は、ハサミを使用することなく開封できる開封用糸付き封筒を先に出願した（特許文献1参照）。前記特許文献1に記載されている開封用糸付き封筒は、図1１（ａ）〜（ｃ）において、封筒５１の開封口を封じるため、封じ片５２を折る折り目５３は、開封の際に開封用糸５４で容易に破断できるようにするため、ミシン目５３によって形成され、このミシン目５３の上に糊剤５９で開封用糸５４が貼着されている。
【０００３】
封筒の隅部には、開封用糸５４が貼着された切除片５５が、封筒から切除できるように切除片５５の輪郭に沿ったミシン目によって形成されている。なお、図1１においては、切除片５５の分断方向を示す矢印が点字で形成されている。
【０００４】
前記開封用糸付き封筒の開封は、図１２（ａ）〜（ｃ）において、図１２（ａ）に示すように開封用糸５４が貼着された切除片５５を摘まんで封筒から切除し、次いで図１２（ｂ）に示すように切除した切除片５５を引っ張り、さらに図１２（ｃ）に示すように開封用糸５４で折り目５３のミシン目を破断していくことにより行う。
【０００５】
前記特許文献1の開封用糸付き封筒の製造は、図１３に示すように、供給された封筒５１をベルトコンベア５６で搬送しながら封じ片の折り目５３に沿って切断孔成形機５７でミシン目５３を形成していく。
【０００６】
次に、形成されたミシン目５３に糊剤塗布機５８で糊剤５９が塗布され、塗布された糊剤５９に沿って供給された開封用糸５４をローラ６０で押し付けながら張り渡し、糊剤５９を乾燥機６１で乾燥させて開封用糸５４を貼着する。
【０００７】
貼着された開封用糸５４は連続して繋がっているので、隣り合う封筒の間にカッター６２を入れて開封用糸５４を切断し、封筒５１を切り離す。
【０００８】
次いで、封じ片５２を折曲機６３で折り目に沿って折曲し、折曲した封じ片５２を含む封筒５１の隅部に穿孔機６４で切除片５５の輪郭に沿ってミシン目を形成して切除片５５を形成する。こうして加工された開封用糸付き封筒は、開封口から郵便物を入れた後、剥離紙６５を剥離して封じ片５２を折り曲げて接着層６６で封をする。
【０００９】
また、前記特許文献１の封筒は切り口の見た目がよくないということで、糸で簡単に開封でき、開封後に見栄えがよく、そのまま保管することができる封筒を製造する封筒製造装置が提案されている（特許文献２参照）。
【００１０】
前記特許文献２に記載された封筒加工装置は、封筒を連続的に供給する封筒供給部と、供給された封筒を一定の間隔で搬送するための位置決めコンベア部と、切り糸に糊剤を塗布して供給する糸供給部と、封筒に切り糸を貼り付ける糸貼り部と、糊剤を乾燥するための乾燥部及び切り糸を切断する糸切断部を備えたものである。
【先行技術文献】
【特許文献】
【００１１】
【特許文献１】特許第４０３９５７３号公報
【特許文献２】特開２００９−６１７１２号公報
【発明の概要】
【発明が解決しようとする課題】
【００１２】
前記特許文献の封筒製造装置においては、封筒をコンベヤで搬送しながら穿孔による切除片やミシン目の形成、糸の張り渡しなどの加工を行っている。そのため、コンベヤの搬送速度を上げると、位置決めされた封筒が加工中にコンベヤ上で動いてずれて搬送されてしまい、その結果、折り目に沿って正確にミシン目の形成、糊剤の塗布、線材の貼着ができなくなるだけでなく、コンベヤの搬送速度を早めて生産量を上げることができないという問題があった。
【００１３】
また、前記特許文献の封筒製造装置においては、開封用の糸の接着部に加熱した空気を噴射するドライヤーや該接着部を圧着する圧着ローラを備えた乾燥部を配置しなければならないため、装置が複雑になるという問題があった。
【００１４】
また、前記特許文献の前記封筒加工装置においては、ドライヤーによる乾燥に一定の時間を要するため、コンベヤの搬送速度を早めて生産量を上げることができない、という問題があった。
【００１５】
そこで、本発明は、封筒を封筒搬送コンベアの間に挟むとともに、押圧して位置決めして折れ目がずれないようにした状態で搬送しながら加工可能な封筒加工装置を提供するものである。
【課題を解決するための手段】
【００１６】
本願請求項1の発明は、封筒の開封口を封じる封じ片の折り目がミシン目で形成され、前記ミシン目の端に封筒から切除できる切除片が形成され、前記ミシン目と前記切除片に開封用糸が貼着されている封筒に加工する封筒加工装置であって、供給された封筒を上側の無端ベルトコンベヤと下側の無端ベルトコンベヤで挟んで搬送する封筒搬送ベルトコンベヤと、前記封筒搬送ベルトコンベヤの入り側に配置された封筒の前記折り目を位置決めする位置決めユニットと、前記封筒搬送ベルトコンベヤと並列に順次配置された、前記切除片を形成する切除片形成ユニットと、前記折り目にミシン目を形成するミシン目形成ユニットと、前記開封用糸に糊を付着させて前記ミシン目の上に貼着させる糸貼着ユニットと、貼着させた前記開封用糸を押さえる糸押さえユニットと、隣り合う封筒の間の前記開封用糸を切断して封筒を分離する糸切断ユニットと、前記ミシン目に折れ癖を付ける折れ癖付けユニットを備えていることを特徴とする封筒加工装置において、前記封筒搬送ベルトコンベヤが、前記複数列の上側の無端ベルトコンベヤの下側のベルトを前記複数列の下側の無端ベルトコンベヤの上側のベルトに押さえ付ける押さえ付けローラを備え、前記押さえ付けローラが前記封筒搬送ベルトコンベヤと並列に順次配置された各ユニットの位置に配置されていることを特徴とする封筒加工装置である。
【００１７】
本願請求項２の発明は、前記位置決めユニットが、搬入された封筒を停止させる、上下動するストッパーと、停止した封筒を上下で挟んで搬入方向に直交する方向に移動させて位置決めする一対のローラを備えていることを特徴とする請求項１に記載の封筒加工装置である。
【００１８】
本願請求項３の発明は、前記糸貼着ユニットが、糸巻きから巻き戻された糸をくぐらせて糊を付着させる糊タンクを備えた糊付着部と、前記糊付着部から引き出されて折り目に沿って張られた糊が付着した糸を挟んで加熱し、圧着する一対のヒーター金型を備えた糊貼着部からなることを特徴とする請求項１又は２に記載の封筒加工装置である。
【００１９】
本願請求項４の発明は、前記糸押さえユニットが、貼着された糸を挟んで回転する一対のローラからなることを特徴とする請求項１、２又は３に記載の封筒加工装置である。
【００２０】
本願請求項５の発明は、前記折れ癖付けユニットは、貼着された糸を挟んでプレスする一対のヒーター金型からなることを特徴とする請求項１、２、３又は４に記載の封筒加工装置である。
【発明の効果】
【００２１】
本発明の封筒加工装置は、位置決めされた封筒を上側ベルトコンベヤと下側ベルトコンベヤに挟み且つ上側ベルトコンベヤの下側のベルトを押さえベルトで下側ベルトコンベヤへ押し付けて搬送する構造により、封筒がずれることがなく正確に位置決めされた状態で搬送、加工できるので、折り目に沿って正確に切除片とミシン目の形成、糸の貼着ができる。また、封筒が搬送中にずれることがないために搬送速度を上げることができるので、生産量を向上させることができる。
【００２２】
本発明の封筒加工装置は、一対のヒーター金型により、貼着する糸を挟んで加熱且つ圧着するので、乾燥機で乾燥させることなく確実に糸を貼着させることができる。
【００２３】
本発明の封筒加工装置は、封じ片の折り曲げ部材を取り付ければ、通常の竪型の封筒だけでなく、洋型封筒(ダイレクトメールなどの、封筒の幅より折り目が長い横長の封筒)も加工可能にすることができるので、洋型封筒専用の加工装置が不要となる。
【図面の簡単な説明】
【００２４】
【図１】本発明の封筒加工装置の配置を示す概略平面図である。
【図２】本発明の封筒加工装置のコンベヤによる封筒の搬送状態を示す概略図である。
【図３】本発明の封筒加工装置への封筒の供給状態を示す図である。
【図４】本発明の封筒加工装置のベルトコンベアの押さえローラの配置を示す図である。
【図５】本発明の封筒加工装置の切除片形成ユニットの概略図である。
【図６】本発明の封筒加工装置のミシン目形成ユニットの概略図である。
【図７】本発明の封筒加工装置の糸貼着ユニットの概略図である。
【図８】本発明の封筒加工装置の糸押さえユニットの概略図である。
【図９】本発明の封筒加工装置の糸切断ユニットの概略図である。
【図１０】本発明の封筒加工装置の折れ癖付けユニットの概略図である。
【図１１】開封用糸付き封筒を示し、（ａ）は封じ片を開いた状態を示す図、(ｂ)は封をした封筒の表を示す図、（ｃ）は封をした封筒の裏を示す図である。
【図１２】(ａ)〜（ｃ）は開封用糸付き封筒の開封の手順を示す図である。
【図１３】開封用糸付き封筒の製造工程を示す概略図である。
【発明を実施するための形態】
【００２５】
本発明の封筒加工装置の実施例について図面を参照しながら説明する。
【００２６】
本発明の封筒加工装置は、図1１に示す封筒のように、封筒５１の開封口を封じる封じ片５２の折り目５３と、折り目５３の端且つ封筒の隅部（開封口の端部）に形成する切除片５５をそれぞれミシン目により形成し、切除片５５と折り目５３に開封用糸５４を貼着して開封用糸付き封筒に加工するものである。
【００２７】
図１〜４に示すように、本発明の封筒加工装置１の前段には加工する封筒を供給する汎用の封筒供給装置２が配置され、後段には加工により得られた開封用糸付き封筒を所定数（例えば５０枚）ずつ集積していく集積装置３が配置される。
【００２８】
封筒加工装置１は、加工する封筒を封筒加工ラインに沿って搬送する封筒搬送ベルトコンベヤ４を備えている。
【００２９】
封筒搬送ベルトコンベヤ４の封筒搬入側には、封筒供給装置２から供給された封筒を一枚ずつ吸盤５ａで取り上げて位置決めし、封筒搬送ベルトコンベヤ４へ送り込む封筒位置決めユニット５が配置されている。
【００３０】
封筒搬送ベルトコンベヤ４の外側の封筒加工ラインには、図２に示すように、封筒搬送ベルトコンベヤ４に沿って設けられたレール４ａ上に封筒に加工を施す各種のユニット６〜１１が移動可能に配置されている。各ユニット６〜１１は、封筒の折れ目の長さに応じてレール５上を移動させて加工位置が設定される。
【００３１】
封筒加工ラインは、順に、切除片５５を形成する切除片形成ユニット６、折り目５３にミシン目を形成するミシン目形成ユニット７、糊が付着した開封用糸５４を貼着する糸貼着ユニット８、貼着された開封用糸５４を押さえる糸押さえユニット９、隣り合う封筒５１の間の糸を切断する糸切断ユニット１０、開封用糸５４を圧着し、洋型封筒の場合には折れ目５３に沿って折れ癖を付ける折れ癖付けユニット１１が配置されている。
【００３２】
封筒供給装置２からは、封筒５１が開封口側の面を上に且つ封じ片５２の折り目５３を加工側に向けて封筒加工装置１へ刺身状に一部重なった一定の間隔で供給される。封筒搬送ベルトコンベヤ４の封筒搬入側に配置された封筒位置決めユニット５は、封筒供給装置２から供給された封筒を取り上げて送る吸盤５ａ、吸盤５ａにより送られてきた封筒を停止させるストッパー５ｂと、ストッパー５ｂで停止している封筒を挟んで搬送方向と直交する方向に移動させて折り目を位置決めする上下のローラ５ｃと、折り目位置を検出する光センサを備えている。
【００３３】
位置決めユニット５により位置決めされた封筒は、ストッパー５ｂが下降すると、封筒搬送ベルトコンベア４の入り側に配置された上下動する送り込みローラ４ｂにより封筒搬送ベルトコンベア４に送り込まれる。
【００３４】
封筒搬送ベルトコンベア４に送り込まれた封筒５１は、図４に示すように、各封筒５１の折り目５３が加工ラインで一直線に位置決めされるとともに、隣り合う封筒５１の間隔が、後段の加工工程である、封筒５１に貼着されて繋がっている開封用糸５４をカッターで切断できる間隔（例えば、４〜５ｍｍ）を開けて搬送される。
【００３５】
封筒搬送ベルトコンベア４は、図３に示すように、上フレーム４ｃに取り付けられた周回する無端のベルトからなる上側ベルトコンベヤ１２と、下フレーム４ｄに取り付けられた周回する無端のベルトからなる下側ベルトコンベヤ１３が対向して配置される。供給された封筒５１が折り目３を除く袋の部分が上側ベルトコンベヤ１２と下側ベルトコンベヤ１３の間に挟まれて搬送される。
【００３６】
封筒搬送ベルトコンベア４は、切除片形成ユニット６、糸貼着ユニット８、糸切断ユニット１０を折れ癖付けユニット１１では、上側の金型あるいはナイフを下降させて加工するため、その際には封筒を停止させておく必要があるので、封筒の搬送と停止を交互に繰り返しながら封筒を間欠的に搬送する。
【００３７】
上側ベルトコンベヤ１２と下側ベルトコンベヤ１３は複数列のベルトで構成される。本実施例では４本のベルトで構成され、縦長の封筒を４本のベルトで支持して搬送し、横長の洋型封筒を加工側の２本のベルトで横向きにして支持して搬送する。
【００３８】
上側ベルトコンベヤ１２は、下側のベルト１２ａを下方に押さえて下側ベルトコンベヤ１３へ押し付ける押さえローラ１４が配置される。押さえローラ１４は、上フレーム４ｃの支持部材４ｅに移動可能に支持されたＬ字形のローラ支持棒１４ａに回転可能に支持され、ローラ支持棒１４ａは各ベルトの間から差し込んで押さえローラ１４が下側のベルト１２ａを押さえ付ける位置及び押さえる強さが調整される。押さえローラ１４は、封筒が加工中にずれないように各加工ユニットの位置に配置されるほか、封筒がずれないように適宜の位置に配置される。
【００３９】
押さえローラ１４で下側のベルトを下側ベルトコンベヤ１３へ押し付けて上下のベルト間で封筒を強く挟むことにより封筒のずれを防止することができるので、封筒を正確に位置決めした状態で加工、搬送することができる。
【００４０】
開封の際に切除する切除片５５を形成する切除片形成ユニット６は、図５に示すように、上側の穿孔金型１５とこれに対向する下側のパッド１６からなり、上下動する穿孔金型１５の下面には切除片５５のミシン目を穿孔する針１５ａが切除片５５の輪郭に合わせて設けられている。パッド１６は針を受ける軟質の材料からなる。穿孔金型１５とパッド１６の間に封筒５１の折り目５３の端が搬送され、加工位置に停止したタイミングで穿孔金型１５が下降する。下降により折り目を中心にして切除片５５の輪郭に合わせて針１５ａでミシン目５３が穿孔されて切除片５５が形成されると、封筒は再び搬送される。
【００４１】
折り目にミシン目を形成するミシン目形成ユニット７は、図６に示すように、上側の丸刃１７とこれに対向する下側の回転輪１８からなる。丸刃１７の円周には回転によりミシン目を形成するギザギザの刃１７ａが形成されている。丸刃１７の刃１７ａを受ける回転輪１８は樹脂製からなり、刃１７ａを受ける溝が形成されている。ベルトコンベア４で搬送される封筒５１の折り目が丸刃１７と回転輪１８の間に進入すると、折り目の移動に伴って丸刃１７と回転輪１８が回転してミシン目５３が連続的に形成されていく。
【００４２】
糊が付着した開封用糸５４を貼着する糸貼着ユニット８は、図７に示すように、開封用糸に糊を付着させる糊付着部８ａと、糊が付着した開封用糸５４をミシン目５３の上に貼着する糸貼着部８ｂからなる。糊付着部８ａは、糊８ｃが満たされた糊タンク８ｄを備え、糸巻き８ｅから開封用糸５４を巻き戻し、糊タンク８ｄをくぐらせて開封用糸５４に糊８ｃを付着させる。糸貼着部８ｂは上下にヒーター金型８ｆ、８ｇを備え、上側のヒーター金型８ｆは上下動してミシン目に沿って張られた糊８ｃの付着した開封用糸５４を高温（約１２０℃）の下側のヒーター金型８ｇの間で圧着、加熱して貼着する。ヒーター金型８ｆ、８ｇの間で糸貼着部を圧着し加熱するので、乾燥装置を設置することなく短時間で確実に貼着・乾燥させることができる。
【００４３】
貼着された開封用糸５４を圧着するとともに糸を引き出す糸押さえユニット９は、図８に示すように、上下にローラ９ａ，９ｂを備え、糸貼着ユニットで貼着した開封用糸５４をローラ９ａ，９ｂ間で圧着して封筒の移動とともに貼着した糸を引いて剥がれるのを防止する。貼着が不十分であると開封用糸が封筒の移動で剥がれて糸の引き出しができなくなる場合があるので、押さえユニット９で押さえて封筒と糸が離れることなく封筒を移動させることで糸を引き出すことが可能となる。
【００４４】
隣り合う封筒の間の開封用糸５４を切断する糸切断ユニット１０は、図９に示すように、開封用糸５４を切る傾斜した刃のカッターナイフ１０ａを備えている。隣り合う封筒５１は貼着した開封用糸５４が繋がっているので、隣り合う封筒の間（４〜５ｍｍ）に上からカッターナイフを入れて開封用糸５４を切断する。
【００４５】
糸切断ユニット１０で開封用糸５４を切断して分離された封筒のミシン目５３に沿って貼着された開封用糸を加熱圧着、あるいは洋型封筒の場合にはさらに折れ癖を付ける折れ癖付けユニット１１が配置される。折れ癖付けユニット１１は、図１０に示すように、約５０℃に加熱したヒーター金型１１ａ，１１ｂを備えている。上側のヒーター金型１１ａは上下動し、開封用糸を加熱圧着する。折れ癖付けユニット１１により、開封用糸が完全に貼着され、洋型封筒の場合には折れ癖を付けることができる。
【００４６】
洋型封筒を加工する場合は、折れ癖付けユニット１１の入り側に、封じ片５２を封じ側に曲げる曲げガイド１９が取り付けられ、移動する封じ片５２が徐々に封じ側に曲げられて高さが低くなる湾曲した形状である。封じ片５２は、ガイドに沿って曲げられて行き最後に二つ折りされた状態で、折れ癖付けユニット１１に供給され、ヒーター金型１１ａ，１１ｂでプレスされる。
【００４７】
折れ癖付けされた封筒は、集積装置３へ所定枚数ずつ刺身状に重ねられて集積される。
【００４８】
上記構成からなる封筒加工装置による封筒の加工動作について説明する。封筒供給装置から供給された封筒は、封筒搬送ベルトコンベヤ４の封筒搬入側の封筒位置決めユニットで、各封筒の折れ目が一列になるように位置決めされた後、封筒搬送ベルトコンベヤ４へ送り込まれる。
【００４９】
間隔を開けて折れ目が一列になるように位置決めされた封筒は、封筒搬送ベルトコンベア４の上側ベルトコンベヤ１２と下側ベルトコンベヤ１３の間に押さえローラ１４で強く挟みながら一定の時間間隔で移動と停止を繰り返して間欠的に搬送される。
【００５０】
間欠的に搬送される封筒が切除片形成ユニット６に達した停止中に、上側の穿孔金型１５が下降して封筒の隅部にミシン目が穿孔されて切除片が形成される。
【００５１】
次いで、ミシン目形成ユニット７の丸刃１７と回転輪１８の間を通過する封筒の折れ目にミシン目が連続的に形成される。
【００５２】
糸貼着ユニット８では、糸貼着部８ｂで糊が付着した開封用糸５４が糸貼着部８ｂの上下のヒーター金型８ｆ、８ｇの間に張り渡されており、封筒がヒーター金型８ｆ、８ｇの間に達し、停止中に、上側のヒーター金型８ｆと下側のヒーター金型８ｇの間でプレスされて１２０℃で加熱・圧着されて貼着される。
【００５３】
糸貼着ユニット８で貼着された開封用糸５４を糸押さえユニット９のローラ９ａ，９ｂの間でさらに圧着して確実に貼着するとともに、貼着した糸を引いて剥がれるのを防止する。
【００５４】
次いで、隣り合う封筒の隙間が糸切断ユニット１０に達し、停止中に、上からカッターナイフを入れて繋がっている開封用糸５４を切断して封筒を分離する。
【００５５】
分離された封筒は、折れ癖付けユニット１１の、約５０℃に加熱したヒーター金型１１ａ，１１ｂの間に達し、停止中に貼着された開封用糸を念のために加熱圧着する。
【００５６】
なお、洋型封筒を加工する場合は、折れ癖付けユニット１１の入り側に曲げガイド１９が取り付けて封じ片５２を折り曲げて二つ折りにした状態で、折れ癖付けユニット１１のーター金型１１ａ，１１ｂで加熱してプレスすることにより、二つ折りの折れ癖を確実に付けることができる。
【００５７】
折れ癖付けユニット１１を通過した封筒は、集積装置３へ所定枚数ずつ刺身状に重ねられて集積される。
【符号の説明】
【００５８】
１：封筒製造装置              ２：封筒供給装置
３：製品集積装置              ４：封筒搬送 ベルトコンベア
４ａ：レール                ４ｂ：送り込みローラ
４ｃ：上フレーム            ４ｄ：下フレーム
４ｅ：支持部材                ５：封筒位置決めユニット
５ａ：吸盤                  ５ｂ：ストッパー
５ｃ：ローラ                  ６：切除片形成ユニット
７：ミシン目形成ユニット      ８：糸貼着ユニット
９：糸押さえユニット        １０：糸切断ユニット
１１：折れ癖付けユニット      １２：上側ベルトコンベヤ
１３：下側ベルトコンベヤ      １４：押さえローラ
１４ａ：ローラ支持棒          １５：穿孔金型
１５ａ：針                    １６：パッド
１７：丸刃                    １８：回転輪
１９：曲げガイド              ５１：封筒
５２：封じ片                  ５３：折り目（ミシン目）
５４：開封用糸                ５５：切除片
５６：ベルトコンベア          ５７：切断孔成形機
５８：糊剤塗布機              ５９：糊剤
６０：ローラ                  ６１：乾燥機
６２：カッター                ６３：折曲機
６４：穿孔機                  ６５：剥離紙
６６：接着層
【図１】
2018001426.tif 000003
【図２】
2018001426.tif 000004
【図３】
2018001426.tif 000005
【図４】
2018001426.tif 000006
【図５】
2018001426.tif 000007
【図６】
2018001426.tif 000008
【図７】
2018001426.tif 000009
【図８】
2018001426.tif 000010
【図９】
2018001426.tif 000011
【図１０】
2018001426.tif 000012
【図１１】
2018001426.tif 000013
【図１２】
2018001426.tif 000014
【図１３】
2018001426.tif 000015
【手続補正書】
【提出日】平成28年12月13日(2016.12.13)
【手続補正１】
【補正対象書類名】特許請求の範囲
【補正対象項目名】請求項３
【補正方法】変更
【補正の内容】
【請求項３】
前記糸貼着ユニットが、糸巻きから巻き戻された糸をくぐらせて糊を付着させる糊タンクを備えた糊付着部と、前記糊付着部から引き出されて折り目に沿って張られた糊が付着した糸を挟んで加熱し、圧着する一対のヒーター金型を備えた糸貼着部からなることを特徴とする請求項１又は２に記載の封筒加工装置。
【手続補正２】
【補正対象書類名】明細書
【補正対象項目名】００１８
【補正方法】変更
【補正の内容】
【００１８】
本願請求項３の発明は、前記糸貼着ユニットが、糸巻きから巻き戻された糸をくぐらせて糊を付着させる糊タンクを備えた糊付着部と、前記糊付着部から引き出されて折り目に沿って張られた糊が付着した糸を挟んで加熱し、圧着する一対のヒーター金型を備えた糸貼着部からなることを特徴とする請求項１又は２に記載の封筒加工装置である。
【手続補正３】
【補正対象書類名】明細書
【補正対象項目名】００４２
【補正方法】変更
【補正の内容】
【００４２】
糊が付着した開封用糸５４を貼着する糸貼着ユニット８は、図７に示すように、開封用糸に糊を付着させる糊付着部８ａと、糊が付着した開封用糸５４をミシン目５３の上に貼着する糸貼着部８ｂからなる。糊付着部８ａは、糊８ｃが満たされた糊タンク８ｄを備え、糸巻き８ｅから開封用糸５４を巻き戻し、糊タンク８ｄをくぐらせて開封用糸５４に糊８ｃを付着させる。糸貼着部８ｂは上下にヒーター金型８ｆ、８ｇを備え、上側のヒーター金型８ｆは上下動してミシン目に沿って張られた糊８ｃの付着した開封用糸５４を高温（約１２０℃）の下側のヒーター金型８ｇの間で圧着、加熱して貼着する。ヒーター金型８ｆ、８ｇの間で開封用糸５４を圧着し加熱するので、乾燥装置を設置することなく短時間で確実に貼着・乾燥させることができる。